(57)【要約】【課題】吐出安定性に優れるとともに、優れた光輝性を有する画像を容易に形成することができるインク組成物を提供すること、また、優れた光輝性を有する画像が形成された印刷物を提供すること。【解決手段】本発明のインク組成物は、インクジェット方式により吐出されるものであって、銀粒子と、ノニオン性の界面活性剤と、水と、を含み、前記ノニオン性の界面活性剤の含有率をＸ［質量％］、前記ノニオン性の界面活性剤のグリフィン法によるＨＬＢ値をＹとしたとき、０．４≦Ｘ×Ｙ≦５６．７の関係を満足することを特徴とする。また、インク組成物中におけるノニオン性の界面活性剤の含有率は、０．１質量％以上３．０質量％以下であるのが好ましい。【選択図】なし【特許請求の範囲】
【請求項１】
インクジェット方式により吐出されるインク組成物であって、
銀粒子と、
ノニオン性の界面活性剤と、を含み、
前記ノニオン性の界面活性剤の含有率をＸ［質量％］、前記ノニオン性の界面活性剤のグリフィン法によるＨＬＢ値をＹとしたとき、０．４≦Ｘ×Ｙ≦５６．７の関係を満足することを特徴とするインク組成物。
【請求項２】
前記ノニオン性の界面活性剤の含有率は、０．１質量％以上３．０質量％以下である請求項１に記載のインク組成物。
【請求項３】
前記ノニオン性の界面活性剤のグリフィン法によるＨＬＢ値は、４以上１８．９以下である請求項１または２に記載のインク組成物。
【請求項４】
前記ノニオン性の界面活性剤は、アセチレングリコール系界面活性剤である請求項１ないし３のいずれかに記載のインク組成物。
【請求項５】
前記アセチレングリコール系界面活性剤は、エチレンオキサイドが付加したものである請求項４に記載のインク組成物。
【請求項６】
前記銀粒子の含有率が０．５質量％以上３０質量％以下である請求項１ないし５のいずれかに記載のインク組成物。
【請求項７】
水を含み、前記水の含有量は５０質量％以上である請求項１ないし６のいずれかに記載のインク組成物。
【請求項８】
印刷媒体上に、請求項１ないし７のいずれかに記載のインク組成物をインクジェット法により付与することにより得られたことを特徴とする印刷物。
【発明の詳細な説明】
【技術分野】
【０００１】
本発明は、インク組成物および印刷物に関するものである。
【背景技術】
【０００２】
インクジェット方式の印刷に用いられるインクとしては、一般に、シアン、マゼンタ、イエローおよびブラックのインクを用いて、いわゆるフルカラー画像を形成することが一般に行われている。そして、形成画像の高画質化を図る目的で、インクを多色化（例えば、上記４種のインクに加えて、ライトマゼンタ、ライトシアンのインクを含む６色）が行われている。
しかし、上記のような多色のインクを用いても、金属光沢を表現できないという問題がある。
【０００３】
そこで、近年、金属粒子を用いたインクジェット用インク（金属インク）が提案されている（例えば、特許文献１参照）。
しかし、特許文献１で提案されているインクでは、金属粒子の含有量を高くすれば、比較的良好な光輝性（金属光沢）が得られるが、インクジェット装置からの吐出安定性が低下してしまうため、十分な光輝性を有する画像を形成するのが困難であった。
【先行技術文献】
【特許文献】
【０００４】
【特許文献１】特開２００７−２９７４２３号公報
【発明の概要】
【発明が解決しようとする課題】
【０００５】
本発明の目的は、吐出安定性に優れるとともに、優れた光輝性を有する画像を容易に形成することができるインク組成物を提供すること、また、優れた光輝性を有する画像が形成された印刷物を提供することにある。
【課題を解決するための手段】
【０００６】
このような目的は、下記の本発明により達成される。
本発明のインク組成物は、インクジェット方式により吐出されるインク組成物であって、
銀粒子と、
ノニオン性の界面活性剤と、を含み、
前記ノニオン性の界面活性剤の含有率をＸ［質量％］、前記ノニオン性の界面活性剤のグリフィン法によるＨＬＢ値をＹとしたとき、０．４≦Ｘ×Ｙ≦５６．７の関係を満足することを特徴とする。
これにより、吐出安定性に優れるとともに、優れた光輝性を有する画像を容易に形成することができるインク組成物を提供することができる。
【０００７】
本発明のインク組成物では、前記ノニオン性の界面活性剤の含有率は、０．１質量％以上３．０質量％以下であることが好ましい。
これにより、吐出安定性により優れるとともに、優れた光輝性を有する画像をより容易に形成することができる。
本発明のインク組成物では、前記ノニオン性の界面活性剤のグリフィン法によるＨＬＢ値は、４以上１８．９以下であることが好ましい。
これにより、吐出安定性により優れるとともに、優れた光輝性を有する画像をより容易に形成することができる。
【０００８】
本発明のインク組成物では、前記ノニオン性の界面活性剤は、アセチレングリコール系界面活性剤であることが好ましい。
これにより、吐出安定性を優れたものとしつつ、銀粒子をより均一に配列させることができ、より優れた光輝性を備えた画像を形成することができる。
本発明のインク組成物では、前記アセチレングリコール系界面活性剤は、エチレンオキサイドが付加したものであることが好ましい。
これにより、吐出安定性に優れたものとしつつ、銀粒子をより均一に配列させることができ、より優れた光輝性を備えた画像を形成することができる。
【０００９】
本発明のインク組成物では、前記銀粒子の含有率が０．５質量％以上３０質量％以下であることが好ましい。
これにより、吐出安定性により優れるとともに、より優れた光輝性を備えた画像を形成することができる。
本発明のインク組成物では、水を含み、前記水の含有量は５０質量％以上であることが好ましい。
このようなインク組成物は、非水系インク組成物に比べて、記録ヘッドに用いられているピエゾ素子等や、記録媒体に含まれる有機バインダー等への反応性が弱く、溶かしてしまう、腐食するといった不具合が少ない。
本発明の印刷物は、印刷媒体上に、本発明のインク組成物をインクジェット法により付与することにより得られたことを特徴とする。
これにより、優れた光輝性を有する画像が形成された印刷物を提供することができる。
【図面の簡単な説明】
【００１０】
【図１】インクジェット装置の概略構成を示す斜視図である。
【発明を実施するための形態】
【００１１】
以下、本発明の好適な実施形態について詳細に説明する。
《インク組成物》
本発明のインク組成物は、インクジェット方式により吐出されるものである。
本発明のインク組成物は、銀粒子と、ノニオン性の界面活性剤（ノニオン性界面活性剤）と、水とを含むものである。
【００１２】
ところで、従来より、金属粒子を用いたインクジェット用インクは知られている。しかしながら、従来のインクでは、金属粒子の含有量をある程度高くすれば、ある程度の光輝性は得られるが、吐出安定性が低下してしまうといった問題があった。そのため、十分な光輝性を有する画像を形成することが困難であった。
そこで、本発明者らは、このような問題に鑑み、鋭意検討した結果、銀粒子と、ノニオン性界面活性剤と、水とを含むインク組成物において、ノニオン性界面活性剤の含有率をＸ［質量％］、ノニオン性界面活性剤のグリフィン法によるＨＬＢ値をＹとしたとき、０．４≦Ｘ×Ｙ≦５６．７の関係を満足するよう構成することにより、上記問題を解決できることを見出し、本発明を完成するに至った。
【００１３】
すなわち、本発明のインク組成物は、銀粒子と、ノニオン性界面活性剤と、水とを含み、上記関係を満足する点に特徴を有し、これにより、吐出安定性に優れるとともに、優れた光輝性を有する画像を容易に形成することができるものである。
なお、本発明のインク組成物は、ノニオン性界面活性剤の含有率をＸ［質量％］、ノニオン性界面活性剤のグリフィン法によるＨＬＢ値をＹとしたとき、０．４≦Ｘ×Ｙ≦５６．７の関係を満足するものであるが、９≦Ｘ×Ｙ≦５６．７の関係を満足するものであるのがより好ましい。これにより、本発明の効果がより顕著なものとなる。
【００１４】
以下、各成分について詳細に説明する。
［銀粒子］
上述したように、本発明に係るインク組成物は、銀粒子を含むものである。このように、インク組成物が、銀粒子を含むものであることにより、特に優れた光輝性（金属光沢）を有する画像を形成することができる。また、銀は、各種金属の中でも、白色度の高い金属であるため、他色のインクと重ね合わせることにより、金色、銅色等の様々な金属色を表現することができる。
【００１５】
銀粒子の平均粒径は、３ｎｍ以上１００ｎｍ以下であるのが好ましく、２０ｎｍ以上６５ｎｍ以下であるのがより好ましい。これにより、インク組成物を用いて形成される画像の光沢感（高級感）を特に優れたものとすることができるとともに、耐擦性により優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。なお、本明細書では、「平均粒径」とは、特に断りのない限り、体積基準の平均粒径のことを指すものとする。
【００１６】
また、銀粒子の粒径加積曲線における粒径ｄ９０は、５０ｎｍ以上１μｍ以下であるのが好ましい。これにより、インク組成物を用いて形成される画像の光輝性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。
【００１７】
また、銀粒子の粒径加積曲線における粒径ｄ１０は、２ｎｍ以上２０ｎｍ以下であるのが好ましい。これにより、インク組成物を用いて形成される画像の光輝性を特に優れたものとすることができる。また、インクジェット方式によるインク組成物の吐出安定性（着弾位置精度、吐出量の安定性等）を特に優れたものとすることができ、長期間にわたって所望の画質の画像をより確実に形成することができる。
【００１８】
インク組成物中における銀粒子の含有率は、０．５質量％以上３０質量％以下であるのが好ましく、３．０質量％以上１５質量％以下であるのがより好ましい。これにより、インク組成物のインクジェット方式による吐出安定性、インク組成物の保存安定性を特に優れたものとすることができる。また、印刷物とされたときの印刷媒体上での銀粒子の密度（単位面積当たりの含有量）が低い場合から高い場合まで、広い密度の範囲で、良好な画質、耐擦性を実現することができる。このため、例えば、インク組成物を用いて得られる印刷物が、銀粒子の密度が異なる領域を有する場合であっても、印刷物の画質を優れたものとすることができる。
銀粒子は、いかなる方法で調製されたものであってもよく、例えば、銀イオンを含む溶液を用意し、この銀イオンを還元ずることにより、好適に形成することができる。
【００１９】
［ノニオン性界面活性剤］
本発明のインク組成物は、ノニオン性界面活性剤を含んでなるものである。
ノニオン性界面活性剤としては、例えば、アセチレングリコール系界面活性剤、ポリシロキサン系界面活性剤等を挙げることができる。
これらの中でも、特に、アセチレングリコール系界面活性剤を用いるのが好ましい。これにより、吐出安定性を優れたものとしつつ、銀粒子をより均一に配列させることができ、より優れた光輝性を備えた画像を形成することができる。
【００２０】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オール等が挙げられる。また、アセチレングリコール系界面活性剤は、市販品を利用することもでき、例えば、オルフィンＥ１０１０、ＳＴＧ、Ｙ、ＰＤ−００１、サーフィノール１０４、１０４ＰＧ−５０、６１、８２、４４０、４６５、４８５、ＴＧ、ＳＥ−Ｆ（以上、日信化学社製）が挙げられる。
【００２１】
これらの中でも、エチレンオキサイドが付加したアセチレングリコール系界面活性剤を用いるのが好ましい。これにより、吐出安定性に優れたものとしつつ、銀粒子をより均一に配列させることができ、より優れた光輝性を備えた画像を形成することができる。
エチレンオキサイドが付加したアセチレングリコール系界面活性剤としては、例えば、サーフィノール４６５、４８５（以上、日信化学工業社製）等が挙げられる。
ポリシロキサン系界面活性剤としては、市販品を利用することができ、例えば、ＢＹＫ−３４７、ＢＹＫ−３４８（ビックケミー・ジャパン社製）などが挙げられる。
【００２２】
インク組成物中におけるノニオン性界面活性剤の含有率は、特に限定されないが、０．１質量％以上３．０質量％以下であるのが好ましく、０．５質量％以上２．０質量％以下であるのがより好ましい。これにより、吐出安定性により優れるとともに、優れた光輝性を有する画像をより容易に形成することができる。添加量が少なすぎると十分な効果を発揮できない可能性があり、添加量が多すぎると印字物にくもりが発生して印字品質が低下するおそれがある。
【００２３】
また、ノニオン性界面活性剤のグリフィン法によるＨＬＢ値は、４以上１８．９以下であるのが好ましく、６以上１４以下であるのがより好ましい。これにより、吐出安定性により優れるとともに、優れた光輝性を有する画像をより容易に形成することができる。なお、ノニオン性界面活性剤は１種類の添加に限定されず、２種類以上添加しても良い。その場合は、グリフィン法によるＨＬＢ値は、添加した各界面活性剤のＨＬＢ値の加重平均に基づいて算出される。
【００２４】
［水］
本発明のインク組成物は、水を５０％以上含有する、いわゆる水系インクであってもよい。水系インクは、非水系（溶剤系）インクに比べて、記録ヘッドに用いられているピエゾ素子等や、記録媒体に含まれる有機バインダー等への反応性が弱く、溶かしてしまう、腐食するといった不具合が少ない。また、非水系（溶剤系）インクでは、用いた溶剤が高沸点・低粘度であると、乾燥時間が非常にかかるという問題も生ずる。さらに、溶剤系インクに比べて水系インクは臭いも非常に抑えられており、半分以上が水であるので環境にも良いという利点がある。なお、水としては、イオン交換水、逆浸透水、蒸留水、超純水等が挙げられる。なお、本発明のインク組成物は必ずしも水を含有する必要はない。
インク組成物中における水の含有率は、特に限定されないが、２０質量％以上８０質量％以下であるのが好ましく、２５質量％以上７０質量％以下であるのがより好ましい。
【００２５】
［ピロリドン誘導体］
本発明のインク組成物はピロリドン誘導体を含有していても良い。ピロリドン誘導体として、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体は、インクの乾燥を抑制して、インクジェット式記録ヘッド部分におけるインク組成物による目詰まりを防止することができるとともに、印刷媒体への定着性を向上させることができる。ピロリドン誘導体の含有量は、インク組成物の全質量に対しての量は特に限定されないが、３質量％以上２５質量％以下であることが好ましい。
【００２６】
［糖類］
本発明のインク組成物は糖類を含有していても良い。前記糖類としては、単糖、多糖が挙げられ、具体的にはグルコース、リボース、マンニトール、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース、などがあげられる。ここで、多糖とは広義の糖を意味し、アルギン酸、α−シクロデキストリン、セルロースなど自然界に広く存在する物質を含む意味に用いることとする。また、これらの糖の誘導体としては、前記した糖の還元糖［（例えば、糖アルコール（一般式ＨＯＣＨ２（ＣＨＯＨ）ｎＣＨ２ＯＨ（ここで、ｎ＝２〜５の整数を表す）で表される］、酸化糖（例えば、アルドン酸、ウロン酸など）、アミノ酸、チオ糖などがあげられる。糖類は、インクの乾燥を抑制し、インクジェット式記録ヘッド部分におけるインクによる目詰まりを防止することができる。なお、糖類の添加量は特に限定されないが、１質量％以上１０質量％以下であることが好ましい。
【００２７】
［多価アルコール］
本発明のインク組成物は、上記成分の他、多価アルコールを含有していてもよい。多価アルコールは、本発明のインク組成物をインクジェット式記録装置に適用した場合に、インクの乾燥を抑制し、インクジェット式記録ヘッド部分におけるインクによる目詰まりを防止することができる。
【００２８】
多価アルコールとしては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン、１，２−ブタンジオール、１，２−ペンタンジオール、１，２−ヘキサンジオール、１，２−ヘプタンジオール、１，２−オクタンジオールなどが挙げられる。これらの中でも、炭素数が４以上８以下のアルカンジオールが好ましく、炭素数が６以上８以下のアルカンジオールがより好ましい。また、上記の多価アルコールの中でも、インク組成物は、１，２−ヘキサンジオール、トリメチロールプロパンを含むものであるのが好ましい。これにより、インク組成物中における銀粒子の分散安定性を特に優れたものとすることができ、インクの保存安定性を特に優れたものとすることができるとともに、インクの吐出安定性を特に優れたものとすることができる。
インク組成物中における多価アルコールの含有率は、特に限定されないが、０．１質量％以上２０質量％以下であるのが好ましく、０．５質量％以上１０質量％以下であるのがより好ましい。
【００２９】
［グリコールエーテル］
本発明のインク組成物は、グリコールエーテルを含有していてもよい。
グリコールエーテルを含有することにより、印刷媒体などの被記録面への濡れ性を高めてインクの浸透性を高めることができる。
グリコールエーテルとしては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノメチルエーテルなどの多価アルコールの低級アルキルエーテルを挙げることができる。この中でも、トリエチレングリコールモノブチルエーテルを用いると良好な記録品質を得ることができる。インク中におけるグリコールエーテルの含有率は、特に限定されないが、０．２質量％以上２０質量％以下であるのが好ましく、０．３質量％以上１０質量％以下であるのがより好ましい。
【００３０】
［その他の成分］
本発明のインク組成物は、上記以外の成分（その他の成分）を含むものであってもよい。このような成分としては、例えば、水酸化カリウム水溶液などのｐＨ調整剤、浸透剤、有機バインダー、尿素系化合物、アルカノールアミン（トリエタノールアミン等）等の乾燥抑制剤、チオ尿素、防腐剤、ヘッド防錆剤、増粘剤等が挙げられる。
【００３１】
インク組成物が銀粒子以外の固形分（以下「その他の固形分」ともいう）を含む場合、インク組成物中におけるその他の固形分の含有率は、５質量％以下であるのが好ましく、１質量％以下であるのがより好ましい。
インク組成物中における固形分の含有率は、５０質量％以下であるのが好ましく、３．６質量％以上４０質量％以下であるのがより好ましく、１２質量％以上２７質量％以下であるのがさらに好ましい。これにより、インク組成物の吐出安定性を特に優れたものとすることができる。
【００３２】
また、インク組成物の粘度（振動式粘度計を用いて、ＪＩＳ  Ｚ８８０９に準拠して測定された２５℃における粘度）は、特に限定されないが、２．０ｍＰａ・ｓ以上１２．０ｍＰａ・ｓ以下であることが好ましく、３．０ｍＰａ・ｓ以上１０．０ｍＰａ・ｓ以下であることがより好ましい。これにより、液滴の吐出安定性を優れたものとすることができるとともに、印刷媒体に着弾したインク組成物の不本意な濡れ広がりをより確実に防止することができ、微細な画像であっても好適に形成することができる。
【００３３】
《印刷物》
本発明の印刷物は、印刷媒体上に、上述したようなインク組成物をインクジェット法により付与することにより得られたものである。これにより、優れた金属光沢を有するとともに、優れた耐擦性を有する画像が形成された印刷物を提供することができる。
インク組成物が付与される印刷媒体としては、普通紙、インク受理層等を有する専用紙等の紙のほか、例えば、インク組成物が付与される表面を含む領域が、各種プラスチック、セラミックス、ガラス、金属や、これらの複合材料で構成された基材等を用いることができる。
【００３４】
《印刷物の製造方法》
図１は、インクジェット装置（液滴吐出装置）の概略構成を示す斜視図である。
本実施形態の印刷物の製造方法は、図１に示すようなインクジェット装置（液滴吐出装置）を用いて、上述したようなインク組成物を印刷媒体に向けて吐出する工程（液滴吐出工程）を有する。
【００３５】
（吐出工程）
以下に、液滴吐出装置としてのインクジェット式プリンター１を用いた液滴吐出について説明する。
図１に示すように、液滴吐出装置としてのインクジェット式プリンター１は、フレーム２を有している。フレーム２には、プラテン３が設けられ、プラテン３上には、紙送りモーター４の駆動により印刷媒体Ｐが給送されるようになっている。また、フレーム２には、プラテン３の長手方向と平行に、棒状のガイド部材５が設けられている。
【００３６】
ガイド部材５には、キャリッジ６がガイド部材５の軸線方向に往復移動可能に支持されている。キャリッジ６は、フレーム２内に設けられたタイミングベルト７を介して、キャリッジモーター８に連結されている。そして、キャリッジ６は、キャリッジモーター８の駆動により、ガイド部材５に沿って往復移動されるようになっている。
キャリッジ６には、液滴吐出ヘッド９が設けられるとともに、液滴吐出ヘッド９に液体としてのインクを供給するためのインクカートリッジ１０が着脱可能に配置されている。インクカートリッジ１０内のインクは、液滴吐出ヘッド９に備えられた図示しない圧電素子の駆動により、インクカートリッジ１０から印刷ヘッド９へと供給され、液滴吐出ヘッド９のノズル形成面に形成された複数のノズルから、プラテン３上に給送された印刷媒体（基材）Ｐに対して吐出されるようになっている。
これにより印刷物を製造することが可能となる。
【００３７】
（加熱工程）
印刷物の製造方法においては、上述した吐出工程に加え、インク組成物が付与された印刷媒体を過熱する加熱工程を設けてもよい。
本発明に係るインク組成物は、上述したように、分散媒として水を含み、さらに、アルコールを含むものであり、吐出後速やかに乾燥するため、通常、吐出工程の後に、別途、乾燥工程を設ける必要はないが、加熱工程を設けることにより、印刷媒体Ｐが保水性の高いものである場合や、インク組成物が揮発性の低い液体成分を比較的高い含有率で含む場合（例えば、沸点：１６０℃以上の液体成分を３質量％以上含む場合等）であっても、最終的に得られる印刷物中に、インク組成物を構成する液体成分が残存することを効果的に防止することができ、印刷物の耐久性、信頼性を、特に優れたものとすることができる。
【００３８】
以上、本発明について、好適な実施形態に基づいて説明したが、本発明はこれらに限定されるものではない。
例えば、前述した実施形態では、インク組成物として、コロイド液を用いる場合について代表的に説明したが、コロイド液でなくてもよい。
また、例えば、前述した実施形態では、液滴吐出方式としてピエゾ方式を用いたが、これに限定されず、本発明では、例えば、インクを加熱して発生した泡（バブル）によりインクを吐出させる方式など、公知の種々の技術を適用することができる。
また、前述した実施形態では、インク組成物をインクジェット方式による吐出に用いるものとして説明したが、インク組成物は、他の印刷法に適用するものであってもよい。
【実施例】
【００３９】
次に、本発明の具体的実施例について説明する。
［１］インク組成物の調製
（実施例１）
ポリビニルピロリドン（ＰＶＰ、重量平均分子量１００００）を７０℃の条件下で１５時間加熱して、その後室温で冷却をした。そのＰＶＰ１０００ｇを、エチレングリコール溶液５００ｍｌに添加してＰＶＰ溶液を調整した。別の容器にエチレングリコールを５００ｍｌ入れ、硝酸銀１２８ｇを加えて電磁攪拌器で十分に攪拌をして硝酸銀溶液を調整した。ＰＶＰ溶液を１２０℃の条件下でオーバーヘッドミキサーを用いて攪拌しつつ、硝酸銀溶液を添加して約８０分間加熱して反応を進行させた。そして、その後室温で冷却をさせた。得られた溶液を遠心分離機で２２００ｒｐｍの条件下で１０分間遠心分離を行った。その後、分離が出来た銀粒子を取り出して、余分なＰＶＰを除去するためエタノール溶液５００ｍｌに添加した。そして、さらに遠心分離を行い、銀粒子を取り出した。さらに、取り出した銀粒子を真空乾燥機で３５℃、１．３Ｐａの条件下で乾燥させた。
上記によって製造された銀粒子と、グリセリンと、１，２−ヘキサンジオールと、トリメチロールプロパンと、ノニオン性界面活性剤としてのサーフィノール４６５（日信化学工業社製）と、イオン交換水とを混合することにより、インク組成物とした。
【００４０】
（実施例２〜１４）
インク組成物の調製に用いる成分の種類、使用量を調整することにより、表１に示すような構成となるようにした以外は、前記実施例１と同様にしてインク組成物を調製した。
（比較例１、２）
インク組成物の調製に用いる成分の種類、使用量を調整することにより、表１に示すような構成となるようにした以外は、前記実施例１と同様にしてインク組成物を調製した。
【００４１】
表１には、前記各実施例および比較例のインク組成物の構成を示す。なお、表１中、
サーフィノール４６５をＳ４６５、サーフィノール１０４ＰＧ−５０をＳ１０４、サーフィノール６１をＳ６１、サーフィノールＳＥ−ＦをＳＥ−Ｆ、サーフィノール４４０をＳ４４０、サーフィノール４８５をＳ４８５、オルフィンＰＤ−００１をＰＤ００１、グリセリンをＧＬ、エマルゲン４０８５のＥ４０８５、１，２−ヘキサンジオールをＨＤ、トリメチロールプロパンをＴＭＰで示した。また、前記各実施例についてのインク組成物の粘度（振動式粘度計を用いて、ＪＩＳ  Ｚ８８０９に準拠して測定された２５℃における粘度）は、いずれも、５．０ｍＰａ・ｓ以上１０．０ｍＰａ・ｓ以下の範囲内の値であった。
【００４２】
【表１】
2012087217.tif 000002
【００４３】
［２］印刷物の製造
前記各実施例および比較例について、インク組成物を用いて、以下のようにして、印刷物を製造した。
まず、印刷媒体としてのインクジェット用専用紙（写真用紙）：写真用紙＜光沢＞（セイコーエプソン社製）を用意した。
【００４４】
この印刷媒体のインク受理層が設けられた面側に、ＰＸ−Ｇ９３０（セイコーエプソン社製）を用いて、ｄｕｔｙ：４０％の所定のパターンでインク組成物を付与した。これにより、印刷物が得られた。なお、本明細書において、「ｄｕｔｙ」とは、下式で算出される値である。
ｄｕｔｙ（％）＝実印刷ドット数／（縦解像度×横解像度）×１００
（式中、「実印刷ドット数」は単位面積当たりの実印刷ドット数であり、「縦解像度」および「横解像度」はそれぞれ単位面積当たりの解像度である。）
【００４５】
［３］評価
［３．１］光沢度
前記各実施例および比較例に係る印刷物の印刷面について、光沢度計（ＭＩＮＯＬＴＡ  ＭＵＬＴＩ  ＧＬＯＳＳ  ２６８）を用い、煽り角度６０°での光沢度を測定し、以下の基準に従い評価した。
Ａ：光沢度が５５０以上。
Ｂ：光沢度が５００以上５５０未満。
Ｃ：光沢度が４５０以上５００未満。
Ｄ：光沢度が４５０未満。
【００４６】
［３．２］液滴吐出量の安定性評価
ＰＸ−Ｇ９３０（セイコーエプソン社製）、前記各実施例および各比較例のインク組成物を用意し、ピエゾ素子の駆動波形を最適化した状態で、各インクについて、液滴吐出ヘッドの各ノズルから、２３℃、５０％ＲＨの環境下で、１００００発（１００００滴）の液滴の連続吐出を行った。液滴吐出ヘッドの任意の２つのノズルについて、吐出された液滴の総重量を求め、上記２つのノズルから吐出された液滴の平均吐出量の差の絶対値ΔＷ［ｎｇ］を求めた。このΔＷの、液滴の目標吐出量ＷＴ［ｎｇ］に対する比率（ΔＷ／ＷＴ）を求め、以下の３段階の基準に従い、評価した。ΔＷ／ＷＴの値が小さいほど、液滴吐出量の安定性に優れていると言える。
Ａ：ΔＷ／ＷＴの値が、０．０２５未満。
Ｂ：ΔＷ／ＷＴの値が、０．０２５以上０．６２５未満。
Ｃ：ΔＷ／ＷＴの値が、０．６２５以上。
これらの結果を表２に示した。
【００４７】
【表２】
2012087217.tif 000003
【００４８】
表２から明らかなように、本発明に係る印刷物では、光沢度に優れていた。また、本発明のインク組成物は、吐出安定性にも優れていた。これに対し、比較例では、満足のいく結果が得られなかった。
また、本発明に係るインク組成物は、保存安定性に優れており、長期間にわたって、安定した液滴吐出を行うことができ、印刷物の製造に好適に用いることができた。
【符号の説明】
【００４９】
１…インクジェット式プリンター（プリンター）  ２…フレーム  ３…プラテン  ４…紙送りモーター  ５…ガイド部材  ６…キャリッジ  ７…タイミングベルト  ８…キャリッジモーター  ９…液滴吐出ヘッド（印刷ヘッド）  １０…インクカートリッジ  Ｐ…印刷媒体（基材）
【図１】
2012087217.tif 000004